(57)【要約】【課題】使い始め当初から肩にフィットし、これによって児童の体への負担を減らすとともに、通気性が高く、汗や湿気による蒸れ、ベタつき等を抑えたランドセル用背負いバンドの大紐の提供。【解決手段】大紐の肩当部ｇが、長手方向中心線上に所要の幅と長さの長孔ｄを開口し、これによって分断された幅方向両側を側帯部ｅ，ｆとしてなる。【選択図】　図１
2004065462.tif 000002
【特許請求の範囲】
【請求項１】
肩当部の一側に緊締部を延長形成するとともに、他側に取付部を突出させてなるランドセル用背負いバンドの大紐において、肩当部が、長手方向中心線上に所要の幅と長さの長孔を開口し、これによって分断された幅方向両側を側帯部としていることを特徴とするランドセル用背負いバンドの大紐。
【請求項２】
長孔内に配置した張架材を、該長孔の開口縁部に縫着することによって張架してなることを特徴とする請求項１記載のランドセル用背負いバンドの大紐。
【請求項３】
張架材が、メッシュ素材または通気孔を開設した樹脂板からなることを特徴とする請求項２記載のランドセル用背負いバンドの大紐。
【請求項４】
肩当部の一側に緊締部を延長形成するとともに、他側に取付部を突出させてなるランドセル用背負いバンドの大紐において、肩当部が、長手方向中心線上に所要の長さの切込みを入れるとともに、これによって分断された幅方向両側を側帯部としていることを特徴とするランドセル用背負いバンドの大紐。
【発明の詳細な説明】
【０００１】
【発明の属する技術分野】
本発明はランドセル用背負いバンドの大紐に関する。
【０００２】
【従来の技術】
【０００３】
ランドセル用背負いバンドの大紐は、牛革，人工皮革，緩衝材等を重合してなるもので、その上側基端をランドセル筐体上部に取り付けるとともに、下側遊端を、同筐体の底部に取り付けた小紐に、該小紐の遊端に取り付けたバックルを介して接続して使用されるものである。
図１４に示すように、ランドセルａを背負ったときには、大紐ｂ，ｂの内縁部１，１が肩に当接し、外縁部２，２は、ランドセルの荷重によりその内縁部１，１を中心に回動してやや下方に下がるものの、その大紐ｂ，ｂが幅広で、しかもある程度硬く変形しにくいことから、肩から浮いてしまう。したがって、大紐が一定の期間使い込まれて柔らかくなるまでは、肩にフィットしづらく、それを背負う児童の体に負担がかかってしまうという問題がある。
【０００４】
このような問題を解決するため、大紐の全体を略Ｓ字状に湾曲させるなど形状に工夫を施したものや、ランドセル筐体上部の、左右それぞれの大紐を取り付ける一対の背環を拡開可能とし、児童の体格に合わせて所定の角度だけ拡開させるようにし、背負いバンドのフィット性を高めたものが知られている。
【０００５】
【発明が解決しようとする課題】
しかし、いずれのものも、使い始め当初には大紐がある程度硬く変形しにくいものであることに変わりはなく、フィット性が必ずしも良くはなかった。また、大紐は、ある程度の期間使い込むことによって、柔らかくなりフィット性が高まるものの、汗や湿気により蒸れやすくベタついてしまう等という問題があった。
【０００６】
そこで、本発明は、使い始め当初から肩にフィットし、これによって児童の体への負担を減らすとともに、通気性が高く、汗や湿気による蒸れ，ベタつき等を抑えたランドセル用背負いバンドの大紐を提供することを目的とする。
【０００７】
【課題を解決するための手段】
請求項１記載の本発明ランドセル用背負いバンドの大紐は、肩当部ｇの一側に緊締部ｉを延長形成するとともに、他側に取付部ｊを突出させてなるランドセル用背負いバンドの大紐において、肩当部ｇが、長手方向中心線上に所要の幅と長さの長孔ｄを開口し、これによって分断された幅方向両側を側帯部ｅ，ｆとしているものである。
【０００８】
請求項２記載の本発明は、上記長孔ｄ内に配置した張架材３，１７を、該長孔ｄの開口縁部に縫着することによって張架してなる請求項１記載のランドセル用背負いバンドの大紐である。
【０００９】
請求項３記載の本発明は、上記張架材３，１７が、メッシュ素材または通気孔を開設した樹脂板からなる請求項２記載のランドセル用背負いバンドの大紐である。
【００１０】
請求項４記載の本発明ランドセル用背負いバンドの大紐は、肩当部ｇの一側に緊締部ｉを延長形成するとともに、他側に取付部ｊを突出させてなるランドセル用背負いバンドの大紐において、肩当部ｇが、長手方向中心線上に所要の長さの切込みｒを入れるとともに、これによって分断された幅方向両側を側帯部ｅ，ｆとしているものである。
【００１１】
【発明の実施の形態】
まず、本発明の第１実施形態に係るランドセル用背負いバンドの大紐について図１〜５を参照し詳しく説明する。
ｃは、長手方向中心線上に所要の幅と長さの長孔ｄを開口し、これによって分断された幅方向両側を側帯部ｅ，ｆとしてなる幅広の肩当部ｇの上記長手方向の一側に、小孔ｈ……を一定間隔で列設した幅狭の緊締部ｉを延長形成し、該肩当部ｇの他側に取付部ｊを突出させたランドセル用背負いバンドの大紐である。
【００１２】
３は、上記大紐ｃの長孔ｄ内に配置され、該長孔ｄの開口縁部に縫着されることによって張架されている張架材で、それは、通気性，可撓性を有するメッシュ素材からなる（図１〜３）。
４は、長孔５を開設した、ポリウレタン，ポリエチレン等の合成樹脂製発泡体である緩衝材で、その長孔５内に上記張架材３を配置している。
６は、長孔７を開設した牛ソフト革製または人工皮革製の取付部・肩当部裏材であり、８は、同じく人工皮革等製で、上記取付部・肩当部裏材６とは色違いの緊締部裏材で、これら各裏材６，８は、上記緩衝材４の下面側に配置され、外周縁を折り返すことによって、その緩衝材４を、下面側から包み込んでいる。
９は、長孔１０を開設した牛革製または人工皮革製の表材で、上記緩衝材４の上面側に重合されている。
１１は、上記緩衝材４、表材９および裏材６，８に用いられている牛革や人工皮革等よりも十分に引っ張り強度が高く、伸びにくい繊維素材からなる補強テープである。
【００１３】
上記大紐ｃは、これらの各部材を適宜接着し、外周縁を縫合することによって一体化してなるものであるが、その外周縁の縫合をする位置、すなわち、上記表材９と、上記裏材６，８の折返し部分６’，８’とが重なる位置には、上記補強テープ１１を挟み込んであり、縫合は、この補強テープ１１ごと行っている（図１，３参照）。
これによって、表材９および裏材６，８が、縫い目１２の部分から裂けることを防ぎ、大紐ｃの強度を高めている。
【００１４】
ｋは、上記大紐ｃを取り付けたランドセルで、それは、筐体ｌの背護板１３の上端中央に固着した背環１４に、一対の上記大紐ｃ，ｃの取付部ｊ，ｊを巻回して止着することにより、該大紐ｃ，ｃを回動自在に取り付けるとともに、遊端にバックルを備えた一対の小紐ｍ，ｍの基端を上記筐体ｌの底部に取り付けている（図４）。
【００１５】
ｎ，ｎは、上記一対ずつの大紐ｃ，ｃと小紐ｍ，ｍとを接続してなる背負いバンドで、それは、該小紐ｍ，ｍのバックルの枠体１５に大紐ｃ，ｃの上記緊締部ｉを挿通し、上記小孔ｈ……のうち任意のものに上記バックルの細杆１６を差し込むことによって長さを調節できるようになっていて、児童が該ランドセルｋを背負ったときには、肩に左右の大紐ｃ，ｃの上記肩当部ｇ，ｇが当接するようになっている。
【００１６】
上述のとおり、上記肩当部ｇの両側の側帯部ｅ，ｆは、長孔ｄにより分断されていて、そこに張架されている張架材３は、可撓性を有するから、側帯部ｅ，ｆは各別に変形することができる。すなわち、ランドセルｋを背負ったときには、内側の側帯部ｅ，ｅが肩に当接するとともに、外側の側帯部ｆ，ｆが、該側帯部ｅ，ｅと別個に、肩に当接するところまで変形するので、この背負いバンドｎ，ｎは使い始め当初から肩へのフィット性が高く、ランドセルｋを背負う児童の体に負担がかからない（図５）。
また、長孔ｄ，ｄに張架した張架材３を通じて湿気を逃がすので、汗をかいた時でも肩が蒸れにくい。
【００１７】
なお、上記張架材３は、可撓性、弾性を有する薄い樹脂板に通気孔を開設したものとしてもよい。
この場合も、各側帯部ｅ，ｆは各別に変形できるから肩へのフィット性を損なわず、また、通気孔を開設しているので、通気性も損なわれない。
【００１８】
次に、本発明の第２実施形態に係るランドセル用背負いバンドの大紐について図６，７を参照して説明する。
本実施形態の大紐は、後記の張架材を除いて、第１実施形態で用いたのと同一の部材により構成されるので、同一の部分には同一符号を付して簡単に述べることとする。
【００１９】
図６は、本実施形態の大紐ｏの、肩当部ｇの拡大端面図である。
１７は、表層１８と裏層１９との間に、弾性をもつ繊維を編み込んで緩衝層２０を形成した立体的なメッシュ素材からなる張架材で、それは、上記緩衝材４とほぼ同じだけの厚さをもち、通気性、可撓性、弾性に優れたものである。
【００２０】
この張架材１７は、緩衝材４の長孔５内に配置され、その外周縁を、長孔ｄの開口縁部、すなわち、表材９の長孔１０と取付部・肩当部裏材６の長孔７の開口縁部に縫着することによって、長孔ｄ内に張架されている。
【００２１】
なお、取付部・肩当部裏材６の長孔７は、予め入れておいた切込みの周囲の折返し部分２１，２１を折り返すことにより開口させており（図６）、この折り返し部分２１，２１ごと縫合されているので、長孔７の開口縁部には、該取付部・肩当部裏材６の切断面が表出せず、見映えが良い。
【００２２】
この大紐ｏの肩当部ｇの両側の側帯部ｅ，ｆは、長孔ｄにより分断されていて、そこに張架されている張架材１７は、可撓性を有するから、側帯部ｅ，ｆは各別に変形することができる。すなわち、ランドセルｋを背負ったときには、内側の側帯部ｅが肩に当接するとともに、外側の側帯部ｆも、該側帯部ｅと別個に、肩に当接するところまで変形するので、この大紐ｏは使い始め当初から肩へのフィット性が高く、ランドセルｋを背負う児童の体に負担がかからない（図７）。
【００２３】
上記大紐ｏの断面形状をみると、張架材１７が緩衝材４と同じだけの厚さを有するので、長孔ｄの部分が窪むことなく、その両側の側帯部ｅ，ｆとほぼ面一の状態となっている。したがって、ランドセルを背負ったときの、肩との接触面積が広いので、ランドセルの荷重を肩に均一にかけることができ、フィット性が高い。
【００２４】
次に、本発明の第３実施形態に係るランドセル用背負いバンドの大紐について図８，９を参照して説明する。
本実施形態の大紐は、張架材を省略した点以外は、第１実施形態の大紐と同一であるので、同一の部分に同一の符号を付して簡単に述べることとする。
【００２５】
大紐ｐは、長手方向中心線上に所要の幅と長さの長孔ｄを開口し、これによって分断された幅方向両側を側帯部ｅ，ｆとした幅広の肩当部ｇの上記長手方向の一側に、小孔ｈ……を一定間隔で列設した幅狭の緊締部ｉを延長形成し、該肩当部ｇの他側に取付部ｊを突出させてなるものである。
上記長孔ｄの周縁は、表材９と取付部・肩当部裏材６の間になにも挟まずに縫合してあり、該長孔ｄを開放状態としている。
【００２６】
上記側帯部ｅ，ｆは、長孔ｄにより分断されているから、各別に変形することができる。すなわち、ランドセルｋを背負ったときには、内側の側帯部ｅが肩に当接するとともに、外側の側帯部ｆも、該側帯部ｅと別個に、肩に当接するところまで変形するので、この大紐ｐは使い始め当初から肩へのフィット性が高く、ランドセルｋを背負う児童の体に負担がかからない。
【００２７】
次に、本発明の第４実施形態に係るランドセル用背負いバンドの大紐について、図１０〜１３を参照して説明する。
大紐ｑは、長手方向中心線上に所要の長さの切込みｒを入れるとともに、これによって分断された幅方向両側を側帯部ｅ，ｆとした幅広の肩当部ｇの上記長手方向の一側に、小孔ｈ……を一定間隔で列設した幅狭の緊締部ｉを延長形成し、該肩当部ｇの他側に取付部ｊを突出させているものである（図１０）。
【００２８】
２２は、上記大紐ｑの内部に配置されている、ポリウレタン，ポリエチレン等の合成樹脂製発泡体である緩衝材で、長孔２３を開設している。
２４は、切込み２５を入れた牛ソフト革製または人工皮革製の取付部・肩当部裏材で、２６は、同じく人工皮革等製で、上記取付部・肩当部裏材２４とは色違いの緊締部裏材であり、これら各裏材２４，２６は、上記緩衝材２２の下面側に配置され、外周縁を折り返すことによって、その緩衝材２２を、下面側から包み込んでいる。
２７は、切込み２８を入れた牛革製または人工皮革製の表材で、上記緩衝材２２の上面側に重合されている。
【００２９】
２９は、上記緩衝材２２，裏材２４，２６および表材２７に用いられている牛革や人工皮革等よりも十分に引っ張り強度が高く、伸びにくい繊維素材からなる補強テープである。
【００３０】
上記大紐ｑは、これらの各部材を適宜接着し、外周縁を縫合することによって一体化してなるものであるが、その外周縁の縫合をする位置、すなわち、上記表材２７と、上記裏材２４，２６の折返し部分２４’，２６’とが重なる位置には、上記補強テープ２９を挟み込んであり、縫合は、この補強テープ２９ごと行っている（図１０，１２参照）。
これによって、表材２７および裏材２４，２６が、縫い目３０の部分から裂けることを防ぎ、大紐ｑの強度を高めている。
【００３１】
また、上記切込みｒは、上記取付部・肩当部裏材２４と表材２７に入れてある上記切込み２５および２８を、該裏材２４と表材２７の間に配置されている緩衝材２２の上記長孔２３内で互いに一致させているもので、その周縁を縫合してある（図１２）。なお、その周縁は、接着あるいはウェルディングによって固着してもよい。
【００３２】
上記側帯部ｅ，ｆは、切込みｒにより分断されているから、各別に変形することができる。すなわち、ランドセルｋを背負ったときには、内側の側帯部ｅ，ｅが肩に当接するとともに、外側の側帯部ｆ，ｆが、該側帯部ｅ，ｅとは別個に肩に当接するところまで変形するので、この大紐ｑ，ｑは使い始め当初から肩へのフィット性が高く、ランドセルｋを背負う児童の体に負担がかからない。
【００３３】
なお、上記各実施形態においては、緩衝材４，２２は、合成樹脂製発泡体のみからなるものとしたが、それに、樹脂を含浸した紙または不織布を貼り合わせることによって、強度を高めることもできる。
【００３４】
また、上記では取付部・肩当部裏材６，２４と緊締部裏材８，２６とをそれぞれ別個の部材としたが、これらを一つの裏材として一体のものとして成形してもよい。これにより、製作が容易になる。
【００３５】
そのほか、上記張架材３，１７に図柄をあらわすようにすれば、見映えが良く、既存のものよりも意匠性を高めた大紐を得ることができる。
【００３６】
また、従来より使用されている反射材を各側帯部ｅ，ｆそれぞれの表面に取り付けることもできる。これにより、児童の安全性を確保できる。
【００３７】
【発明の効果】
以上述べたところから明らかなように、請求項１記載の本発明ランドセル用背負いバンドの大紐によれば次の効果を奏する。
肩当部が、所要の幅と長さの長孔を開口し、その両側を側帯部としているので、それぞれの側帯部は他方と別個独立に変形でき、肩の形状に追従しやすく、使い始めの時期から肩にフィットする。したがって、ランドセルを背負う児童の体に負担がかからない。
また、長孔を通じて湿気を逃がすので、汗をかいた時でも肩が蒸れにくい。
【００３８】
請求項４記載の本発明ランドセル用背負いバンドの大紐によれば次の効果を奏する。
肩当部が、所要の長さの切込みの両側を側帯部としているので、それぞれの側帯部は他方と別個独立に変形でき、肩の形状に追従しやすく、使い始めの時期から肩にフィットする。したがって、ランドセルを背負う児童の体に負担がかからない。
【図面の簡単な説明】
【図１】本発明ランドセル用背負いバンドの大紐の第１実施形態の斜視図である。
【図２】同上の大紐を構成する表材、張架材、緩衝材、および裏材を示す斜視図である。
【図３】図１のＸ−Ｘ線拡大端面図である。
【図４】同上の大紐をランドセル筐体に取り付けた状態を示す斜視図である。
【図５】ランドセルを背負ったときに、同上の大紐が変形する様子を示す説明図である。
【図６】本発明の第２実施形態に係るランドセル用背負いバンドの大紐の肩当部の拡大端面図である。
【図７】ランドセルを背負ったときに、同上の大紐が変形する様子を示す説明図である。
【図８】本発明ランドセル用背負いバンドの大紐の第３実施形態の斜視図である。
【図９】図８のＹ−Ｙ線拡大端面図である。
【図１０】本発明ランドセル用背負いバンドの大紐の第４実施形態の斜視図である。
【図１１】同上の大紐を構成する表材、緩衝材および裏材を示す斜視図である。
【図１２】図１０のＺ−Ｚ線拡大端面図である。
【図１３】ランドセルを背負ったときに、同上の大紐が変形する様子を示す説明図である。
【図１４】従来の大紐を備えたランドセルを背負ったときに、その大紐が変形する様子を示す説明図である。
【符号の説明】
ｃ，ｏ，ｐ，ｑ　大紐
ｄ　　　　　　　長孔
ｅ，ｆ　　　　　側帯部
ｇ　　　　　　　肩当部
ｉ　　　　　　　緊締部
ｊ　　　　　　　取付部
ｌ　　　　　　　ランドセル筐体
ｍ　　　　　　　小紐
ｎ　　　　　　　背負いバンド
ｒ　　　　　　　切込み
３，１７　　　　張架材
【図１】
2004065462.tif 000003
【図２】
2004065462.tif 000004
【図３】
2004065462.tif 000005
【図４】
2004065462.tif 000006
【図５】
2004065462.tif 000007
【図６】
2004065462.tif 000008
【図７】
2004065462.tif 000009
【図８】
2004065462.tif 000010
【図９】
2004065462.tif 000011
【図１０】
2004065462.tif 000012
【図１１】
2004065462.tif 000013
【図１２】
2004065462.tif 000014
【図１３】
2004065462.tif 000015
【図１４】
2004065462.tif 000016